(57)【要約】【課題】流体噴射ヘッドを取り外すことなく、ノズル面等を観察・点検することができる流体噴射装置、メンテナンス方法を提案する。【解決手段】流体噴射ヘッドから被流体噴射材Ｐに向けて流体を噴射する流体噴射装置１００において、流体噴射ヘッドのノズル面を撮像可能な撮像部を備える。撮像部により撮像された画像を本体筐体外面に配設された表示部１３０に表示する。また、その画像を被流体噴射材Ｐに記録する。【選択図】図１
2008230190.tif 000002
【特許請求の範囲】
【請求項１】
流体噴射ヘッドから被流体噴射材に向けて流体を噴射する流体噴射装置において、
前記流体噴射ヘッドのノズル面を撮像可能な撮像部を備えることを特徴とする流体噴射装置。
【請求項２】
前記撮像部により撮像した画像を表示可能な表示部を備えることを特徴とする請求項１に記載の流体噴射装置。
【請求項３】
前記表示部は、前記流体噴射ヘッドの流体噴射処理に関する情報を表示する案内表示部であることを特徴とする請求項２に記載の流体噴射装置。
【請求項４】
前記撮像部により撮像した画像を前記被流体噴射材に記録する流体噴射処理部を備えることを特徴とする請求項１から請求項３のうちいずれか一項に記載の流体噴射装置。
【請求項５】
前記撮像部は、前記ノズル面に開口するノズルを拡大撮像可能であることを特徴とする請求項１から請求項４のうちいずれか一項に記載の流体噴射装置。
【請求項６】
前記撮像部は、前記被流体噴射材に対する流噴射領域外に配設されることを特徴とする請求項１から請求項５のうちいずれか一項に記載の流体噴射装置。
【請求項７】
前記撮像部は、前記流体噴射ヘッドのメンテナンスを行うメンテナンス領域とは異なる領域に配設されることを特徴とする請求項１から請求項５のうちいずれか一項に記載の流体噴射装置。
【請求項８】
流体噴射ヘッドから被流体噴射材に向けて流体を噴射する流体噴射装置のメンテナンス方法において、
前記流体噴射ヘッドのノズル面を、前記流体噴射ヘッドの下方に配設された撮像部により撮像する工程を有することを特徴とする流体噴射装置のメンテナンス方法。
【発明の詳細な説明】
【技術分野】
【０００１】
本発明は、流体噴射装置、メンテナンス方法に関する。
【背景技術】
【０００２】
流体噴射装置は、流体を噴射可能な流体噴射ヘッドを備え、この流体噴射ヘッドから各種の流体を被記録材等に向けて噴射する装置である。
流体噴射装置の代表的なものとして、例えば、インクジェット式記録ヘッド（以下、単に記録ヘッドという）を備え、この記録ヘッドのノズル（開口）から液体状のインクをインク滴として記録紙等の被記録材に向けて吐出・着弾させてドットを形成することで記録を行うインクジェット式プリンタ等の画像記録装置がある。
また、近年においては、この画像記録装置に限らず、液晶ディスプレイ等のカラーフィルタの製造装置等、各種の製造装置にも流体噴射装置が応用されている。
【０００３】
流体噴射装置では、流体貯留部に貯留された流体を流体噴射ヘッドの圧力室内に導入し、例えば圧電振動子等の圧力発生源に駆動信号を印加してこれを駆動することにより、圧力室内の流体に圧力変動を生じさせ、この圧力変動を制御することでノズルから流体（液滴）を噴射（吐出）するようになっている。
【０００４】
このような流体噴射装置では、常に所望の液量の流体が噴射されてドット抜けが発生しないように、クリーニング処理を行っている。クリーニング処理としては、定期的に各ノズルから流体を連続噴射するフラッシング、強制的に各ノズルから流体を吸引するキャッピング及び流体噴射ヘッドのノズル開口面に付着した流体を拭き取るワイピング等がある。
そして、このようなクリーニング処理を行うことで、各核ノズルから増粘した流体や気泡等を排出して、流体噴射ヘッドの各ノズルの状態を好適に保っている。
【特許文献１】特開２００３−１５４６７２号公報
【発明の開示】
【発明が解決しようとする課題】
【０００５】
クリーニング処理を複数回実行しても、流体噴射ヘッドの噴射不良が改善されない場合がある。このような場合には、流体噴射ヘッドを流体噴射装置から取り外し、その原因を判断する方法が採られていた。
そして、噴射不良の原因が取り除ける場合は原因を取り除いて同じ流体噴射ヘッドを再度取り付る作業を行っていた。また、噴射不良の原因が取り除けない場合は、流体噴射ヘッドを交換して再度取り付けを行っていた。
しかしながら、流体噴射ヘッドの取り付けは、その位置調整を高精度に行う必要があり、必ずしも容易でない。特に、複数の流体噴射ヘッドを有する場合には、各流体噴射ヘッド同士の位置調整（アライメント）が困難であり、また、調整作業に長時間を要してしまうという問題がある。
【０００６】
ここで、取り除けない噴射不良の原因としては、噴射ヘッド内部の破損や、ノズル面の大きな傷、流体が吸引できないくらいに流体噴射ヘッド内で固化してしまった場合などがある。また、取り除ける噴射不良の原因としては、ワイピングする部材の劣化などにより拭き取り不良、流体噴射ヘッドのノズル開口面に付着した異物や固化した流体、キャッピング部材の密着性の低下などがある。しかし、ワイピング部材やキャッピング部材に起因する原因の場合は、流体噴射ヘッドではなくワイピング部材やキャッピング部材を交換すれば良いのに流体噴射ヘッドを取り外してしまっていた。また、流体噴射ヘッドのノズル開口面に付着した異物や固化した流体も、その状態にあると判断できれば流体噴射ヘッドを取り外さずに原因を除去することは可能であった。ところが、これまでは流体噴射ヘッドを取り外さずに原因を判断することができなかった。
【０００７】
本発明は、上述した事情に鑑みてなされたもので、流体噴射ヘッドを取り外すことなく、ノズル面等を観察・点検することができる流体噴射装置、メンテナンス方法を提案することを目的とする。
【課題を解決するための手段】
【０００８】
本発明に係る流体噴射装置、メンテナンス方法では、上記課題を解決するために以下の手段を採用した。
第１の発明は、流体噴射ヘッドから被流体噴射材に向けて流体を噴射する流体噴射装置において、前記流体噴射ヘッドのノズル面を撮像可能な撮像部を備えることを特徴とする。
これにより、流体噴射ヘッドを取り外すことなく、ノズル面の状態を観察・点検したり、ノズル詰まりを観察・点検したりすることが可能となる。
【０００９】
また、前記撮像部により撮像した画像を表示可能な表示部を備えることを特徴とする。
また、前記表示部は、前記流体噴射ヘッドの流体噴射処理に関する情報を表示する案内表示部であることを特徴とする。
これにより、ノズル面やノズルの画像を、即座に、また簡単に、目視確認することができる。
【００１０】
また、前記撮像部により撮像した画像を前記被流体噴射材に記録する流体噴射処理部を備えることを特徴とする。
これにより、表示部がない場合であっても、ノズル面やノズルの画像を簡単に目視観察することが可能となる。
【００１１】
また、前記撮像部は、前記ノズル面に開口するノズルを拡大撮像可能であることを特徴とする。
これにより、流体噴射ヘッドを取り外すことなく、ノズル面の状態を観察・点検したり、ノズル詰まりを観察・点検したりすることが可能となる。
【００１２】
前記撮像部は、前記被流体噴射材に対する流噴射領域外に配設されることを特徴とする。
また、前記撮像部は、前記流体噴射ヘッドのメンテナンスを行うメンテナンス領域とは異なる領域に配設されることを特徴とする。
【００１３】
第２の発明は、流体噴射ヘッドから被流体噴射材に向けて流体を噴射する流体噴射装置のメンテナンス方法において、前記流体噴射ヘッドのノズル面を、前記流体噴射ヘッドの下方に配設された撮像部により撮像する工程を有することを特徴とする。
これにより、流体噴射ヘッドを取り外すことなく、ノズル面の状態を観察・点検したり、ノズル詰まりを観察・点検したりすることが可能となる。
【発明を実施するための最良の形態】
【００１４】
以下、本発明に係る流体噴射装置、メンテナンス方法の実施形態について図を参照して説明する。
図１は、本発明の実施形態に係るインクジェットプリンタの外観を示す斜視図である。
図２は、インクジェットプリンタの内部構造の概略を示す斜視図である。
図３は、インクジェットプリンタの内部構造の概略を示す側断面図である。
図４は、インクジェットプリンタの内部構造の概略を示す側断面図である。
【００１５】
インクジェットプリンタ１００（以下「プリンタ１００」と略称する）は、箱型のハウジング１２０を備えており、このハウジング１２０後方にはハウジング１２０内に印刷用紙（被記録材）Ｐを給送する給紙ユニット１０の一部が、ハウジング１２０前方には印刷用紙Ｐを搬送する搬送ユニット６０の一部が、それぞれハウジング１２０外に露出するように構成されている。
【００１６】
ハウジング（本体筐体）１２０の正面中央には、液晶表示部１３０が設けられている。この液晶表示部１３０の両側には、プリンタ１００の各種操作を行うための複数のキー、ボタンからなる操作部１４０が設けられている。
液晶表示部１３０は、文字、画像等の各種情報が表示可能であって、例えば、印刷処理の際に印刷用紙Ｐに印刷される画像を表示したり、操作手順等の案内（ガイド情報）を表示したりすることができる。これにより、所望の画像等を印刷用紙Ｐに所望の通りに印刷することが可能となっている。
【００１７】
図２，３に示すように、給紙ユニット１０、インクジェット記録ヘッド２４やキャリッジ２２等を備えるキャリッジユニット２０、搬送ユニット６０、インクジェット記録ヘッド２４のメンテナンスを行うインクシステムユニット８０を備えている。
そして、搬送ユニット６０の上側にキャリッジユニット２０が、側方にインクシステムユニット８０がそれぞれ連結し、キャリッジユニット２０の背面側に給紙ユニット１０が連結し、４つのユニットが合体するように構成されている。
【００１８】
キャリッジユニット２０は、キャリッジガイド軸２５、キャリッジモータ２７、従動プーリ２９及び用紙検出器３６等を備える。また、キャリッジユニット２０には、排紙フレーム３０が取り付けられる。
キャリッジモータ２７には、駆動プーリ２８が取り付けられ、駆動プーリ２８と従動プーリ２９との間にキャリッジベルト２６が掛架される。そして、キャリッジベルト２６には、キャリッジ２２に固定され、キャリッジモータ２７の回動によって、キャリッジガイド軸２５に沿って主走査方向に往復動するようになっている。
【００１９】
また、搬送ユニット６０は駆動モータ６９を備え、この駆動モータ６９により、インクシステムユニット８０が駆動源されるようになっている。インクシステムユニット８０への動力伝達は、不図示の歯車装置を介して行われる。
【００２０】
インクシステムユニット８０は、キャップ装置、ポンプ装置及びブレードユニット（いずれも不図示）備えており、搬送ユニットフレーム６１の側方(正面視右側)に連結される。
キャップ装置は、キャリッジ２２がホームポジションに移動した際に、インクジェット記録ヘッド２４をキャップしてノズル面２１０ａを保護する。ポンプ装置は、キャップ状態のキャップ装置に負圧を供給し、インクジェット記録ヘッド２４のノズル開口からのインク吸引を行う。ブレードユニットは、キャリッジ２２の往復動領域を横切る位置と往復動領域から退避する位置とを移動可能に構成され、例えば、キャリッジ２２が印字領域からホームポジションに移動する際に、インクジェット記録ヘッド２４のノズル面２１０ａを払拭することでインクや異物の除去を行う。
【００２１】
インクジェット記録ヘッド２４は、インク・カートリッジ２３を搭載するキャリッジ２２の底部に設けられている。そして、キャリッジ２２が主走査方向に延びるキャリッジガイド軸２５にガイドされながら主走査方向に往復動する際に、インクジェット記録ヘッド２４は、印刷用紙Ｐに向けてブラック、イエロー、シアン、マゼンダ等のインクを吐出する。
なお、インク・カートリッジ２３は、例えば、４つのカートリッジ（すなわち、４色のインク（ブラック、イエロー、シアン、マゼンダ）がそれぞれ別個独立に充填された容器）からなり、それぞれが別個独立に交換可能となっている。
【００２２】
図５は、インクジェット記録ヘッド２４の分解斜視図である。
インクジェット記録ヘッド２４は、ノズル２１１が設けられたノズルプレート２１０及び振動板２３０が設けられた圧力室基板２２０を、筐体２５０に嵌め込んで構成されている。このインクジェット記録ヘッド２４の主要部構造は、圧力室基板２２０をノズルプレート２１０と振動板２３０で挟み込んだ構造を備える。
ノズルプレート２１０には、圧力室基板２２０と貼り合わせられたときにキャビティ２２１に対応することとなる位置にノズル２１１が形成されている。
圧力室基板２２０には、シリコン単結晶基板等をエッチングすることにより、各々が圧力室として機能可能にキャビティ２２１が複数設けられている。各キャビティ２２１間は、側壁（隔壁）２２２で分離されている。また、各キャビティ２２１は、供給口２２４を介して共通の流路であるリザーバ２２３に繋がっている。
【００２３】
振動板２３０は、例えば熱酸化膜等により構成される。振動板２３０には液状体タンク口（不図示）が設けられ、インク・カートリッジ２３からインクが供給される。
振動板２３０上のキャビティ２２１に相当する位置には、圧電体素子（不図示が配設されている。圧電体素子は、ピエゾ素子等の圧電性セラミックスの結晶を上部電極及び下部電極（不図示）で挟んだ構造を備える。圧電体素子は、制御部１５０から供給される電圧波形に対応して体積変化を生ずることが可能に構成されている。
【００２４】
このようなインクジェット記録ヘッド２４においては、制御部１５０が電圧波形をインクジェット記録ヘッド２４に供給することにより、インクの吐出動作が行われるようになっている。
インクはインクジェット記録ヘッド２４のキャビティ２２１に流入しており、電圧波形が供給されたインクジェット記録ヘッド２４では、その圧電体素子がその上部電極と下部電極との間に加えられた電圧により体積変化を生ずる。この体積変化は振動板２３０を変形させ、キャビティ２２１の体積を変化させる。
その結果、そのキャビティ２２１のノズル２１１からインクの液滴が吐出される。そして、インクが吐出されたキャビティ２２１には吐出によって減ったインクが新たにインク・カートリッジ２３から供給される。
【００２５】
キャリッジ２２の往復動作領域は、その役割の観点から、以下に示す様に第一領域ＡＲ１、第二領域ＡＲ２及び第三領域ＡＲ３に分けられる。
第一領域ＡＲ１は印字領域である。すなわち、キャリッジ２２はこの第一領域ＡＲ１において定速（Ｖ）で主走査しつつ、印刷用紙Ｐにインク滴を吐出して印刷を行う。
第二領域ＡＲ２は待機領域及び加減速領域である。すなわち、キャリッジ２２は第二領域ＡＲ２に設定されたホームポジションにおいて待機状態となる。そして、インクシステムユニット８０によってキャッピング及びインク吸引等のメンテナンスを受ける。
更に、キャリッジ２２は、第一領域ＡＲ１に向かう際に、第二領域ＡＲ２において主走査速度（Ｖ）に達するように加速する。逆に、キャリッジ２２は、第二領域ＡＲ２において主走査速度（Ｖ）から停止するために減速する。
【００２６】
第三領域ＡＲ３は、第二領域ＡＲ２と同様に、待機領域及び加減速領域である。すなわち、キャリッジ２２は第三領域ＡＲ３に設定されたノズル観察ポジションにおいて待機状態となる。そして、後述するＣＣＤカメラ９０によって、搭載されたインクジェット記録ヘッド２４のノズル観察が行われる。
また、キャリッジ２２は、第一領域ＡＲ１に向かう際に、第三領域ＡＲ３において主走査速度（Ｖ）に達するように加速する。逆に、キャリッジ２２は、第三領域ＡＲ３において主走査速度（Ｖ）から停止するために減速する。
【００２７】
キャリッジ２２の第三領域ＡＲ３（ノズル観察ポジション）の下方には、キャリッジ２２に搭載されたインクジェット記録ヘッド２４のノズル面２１０ａに対向するように、ＣＣＤカメラ（撮像部）８０が配設される。
ＣＣＤカメラ９０は、インクジェット記録ヘッド２４のノズル面２１０ａの全面を撮影したり、ノズル面２１０ａに形成された各ノズル２１１等を撮影したりする。なお、ＣＣＤカメラ９０には、ノズル面２１０ａを照明するＬＥＤ（不図示）も併設される。
【００２８】
ノズル面２１０ａや各ノズル２１１を撮影するのは、インクジェット記録ヘッド２４の吐出不良の原因を目視確認するためである。すなわち、ノズル面２１０ａに傷・変形が発生したり、異物が付着したりした場合には、これが原因となってインクの吐出不良（インク吐出量の減少や飛行曲がり）が発生する。
同様に、各ノズル２１１内でインクが増粘・固化した場合（ノズル詰まり）にも、インク吐出不良が発生する。
【００２９】
通常、インクジェット記録ヘッド２４においてノズル２１１内のインクが増粘・固化することを回避するため、定期あるいは不定期に、インクシステムユニット８０のキャップ装置をノズル面２１０ａに当接（キャッピング）してノズル２１１からのインクの蒸発を防いだり、キャッピングした状態でポンプ装置によりインクを吸引してノズル内で増粘・固化したインクを取り除いたり、ブレードユニットでノズル面２１０ａのインクや紙粉などの異物を拭き取ったり（ワイピング）などして、ノズル詰まりを防止している。
しかし、キャッピングやワイピングを行っても、インクの吐出不良が完全に解消されない場合がある。例えば、ノズル２１１内でインクが固化してへばり付いてしまった場合や、ノズル面２１０ａに傷・変形が発生した場合等である。
【００３０】
インクの吐出不良がこのような原因によるものであるか否かは、インクジェット記録ヘッド２４のノズル面２１０ａを目視・観察することで、比較的容易に判断することができる。
そこで、キャリッジ２２の第三領域ＡＲ３の下方に配設されたＣＣＤカメラ９０を用いて、インクジェット記録ヘッド２４のノズル面２１０ａ及び各ノズル２１１の観察を行う。
【００３１】
具体的には、第二領域ＡＲ２において、インクジェット記録ヘッド２４のメンテナンス処理（キャッピング、ワイピング等）を行う。
メンテナンス処理を複数回行っても、インクの吐出不良が完全に解消されない場合には、ハウジング１２０の正面に配設された複数のキー、ボタン（操作部１４０）を操作して、キャリッジ２２（インクジェット記録ヘッド２４）を第三領域ＡＲ３に移動させる。
そして、キャリッジ２２（インクジェット記録ヘッド２４）が第三領域ＡＲ３に移動すると、ＣＣＤカメラ９０によるノズル面２１０ａの撮像を開始する。この際、ＬＥＤが点灯して、ノズル面２１０ａに照明光が照射される。
【００３２】
ＣＣＤカメラ９０により撮像されたノズル面２１０ａの映像は、ハウジング１２０の正面に配設された液晶表示部１３０に表示される。つまり、プリンタ１００の操作者は、キャリッジ２２からインクジェット記録ヘッド２４を取り外すことなく、ノズル面２１０ａの状態を目視・観察することができる。
更に、各ノズル２１１内の状態（ノズル詰まり）を目視・観察したい場合には、操作部１４０の操作により、ＣＣＤカメラ９０の倍率や撮像位置を調整して、所望のノズル２１１の映像を取得する。ノズル２１１の映像も同様に、液晶表示部１３０に表示される。
これにより、ノズル面２１０ａに形成された複数のノズル２１１のうちの任意或いは全てについて、ノズル詰まり（付着物）の有無を目視・観察して確認することができる。
【００３３】
また、液晶表示部１３０に表示された映像（画像）は、制御部１５０のメモリ（不図示）に記録・保存することができる。そして、その画像は、その後に、自動的或いは必要に応じて任意に、インクジェット記録ヘッド２４を駆動して印刷用紙Ｐに印刷・記録される。
液晶表示部１３０の画面サイズは、例えば、３．５型程度である。このため、液晶表示部１３０に表示された映像（画像）だけでは、ノズル面２１０ａやノズル２１１の状態（傷や付着物の有無等）を目視・観察しづらい場合がある。
そこで、例えば、ＣＣＤカメラ９０により撮像されたノズル面２１０ａやノズル２１１の映像を、Ａ４サイズ等の印刷用紙Ｐに拡大等して印刷・記録することで、より明確にノズル面２１０ａやノズル２１１の状態を目視・観察することができる。
【００３４】
そして、ノズル２１１付近に液滴が残っている場合、ワイピングによりインクが払拭されていないことになる。これはブレードユニットのブレードが摩耗していたり、傷が付いていたりする場合などに発生する現象であり、ブレードユニットの交換が必要になる。
また、ノズル２１１付近に固化したインクや異物が付着している場合、ワイピングにより払拭できないような強固な付着である。この場合は記録ヘッド２４を取り外さずに、洗浄液を染み込ませた綿棒などで強く拭くことで解消できる。
また、ノズル面２１０ａにはキャッピングした部分にインクが残るが、このインクが途中で切れている場合、キャップがノズル面２１０ａに密接しておらず、ノズル２１１内のインクの蒸発を抑制できない状態となる。この場合はキャップが変形しているかキャップの密着部に傷がある場合であるのでキャップ装置の交換が必要となる。
ノズル面２１０ａに前述のような異常が見られない場合は記録ヘッド２４そのものに不具合が生じていると考えられる。
こうして、吐出不良の原因が、ノズル面２１０ａやノズル２１１の不具合・異常に起因するか否かを確認・判断することができる。
【００３５】
このように、ノズル面２１０ａやノズル２１１の状態観察を行うことにより、インクジェット記録ヘッド２４の交換等の取り外し作業を必ず行う必要はなくなる。つまり、ノズル面２１０ａやノズル２１１の画像から、ノズル面２１０ａやノズル２１１の不具合が除去可能と判断した場合には、それに応じた処理を行えばよい。
【００３６】
以上のように、本実施形態によれば、インクジェット記録ヘッド２４を取り外して、交換或いは修理して、組み立て直す頻度を確実に減らすことができる。
従来は、インクジェット記録ヘッド２４のメンテナンス処理（キャッピング、ワイピング等）を行っても吐出不良が解消されない場合には、インクジェット記録ヘッド２４を必ず取り外す必要があった。
これに対して、本実施形態では、吐出不良があった場合には、ＣＣＤカメラ９０によりインクジェット記録ヘッド２４のノズル面２１０ａを撮像し、この映像（画像）を液晶表示部１３０に表示するので、容易かつ確実に、ノズル面２１０ａやノズル２１１の不具合・異常を確認・判断できる。したがって、インクジェット記録ヘッド２４を取り外すことなく、吐出不良の原因を除去することも可能となる。
【００３７】
したがって、インクジェット記録ヘッド２４のメンテナンス時間の短縮、効率化が図られる。
特に、インクジェット記録ヘッド２４を取り外すことなく、吐出不良の原因を除去できた場合には、インクジェット記録ヘッド２４を取り付ける際に、位置ずれが発生して、その後の印刷処理に悪影響を及ぼすという虞がなくなる。
【００３８】
なお、上述した実施の形態において示した各構成部材の諸形状や組み合わせ、或いは動作・操作手順等は一例であって、本発明の主旨から逸脱しない範囲において設計要求等に基づき種々変更可能である。
【００３９】
上述した実施形態では、キャリッジ２２（インクジェット記録ヘッド２４）の往復動作領域のうちの第三領域ＡＲ３の下方に、ＣＣＤカメラ９０が配設される場合について説明したが、これに限らない。
例えば、第一領域ＡＲ１（印字領域）の下方にＣＣＤカメラ９０を配設してもよい。この場合には、プラテン６６にＣＣＤカメラ９０を露出させる開口を設ける等すればよい。
【００４０】
なお、ＣＣＤカメラ９０は、エリアセンサに限らず、ラインセンサであってもよい。この場合には、例えば、ラインセンサを紙送り方向に平行に配設し、インクジェット記録ヘッド２４を走査方向に移動させながら撮像すればよい。
また、撮像部としては、ＣＣＤカメラ９０に限らず、ＣＭＯＳセンサ等を用いてもよい。また、ＣＣＤカメラ９０をインクジェット記録ヘッド２４の下方に配置するスペースが殆どないような場合には、複数のミラー等の光学系をインクジェット記録ヘッド２４の下方に配置し、この光学系を介してＣＣＤカメラ９０により撮像を行うようにしてもよい。
また、ファイバースコープ、マイクロスコープ等を用いてもよい。
【００４１】
また、上述した実施形態では、ＣＣＤカメラ９０に向けてインクジェット記録ヘッド２４が移動する場合について説明したが、ＣＣＤカメラ９０がインクジェット記録ヘッド２４に向けて移動する場合であってもよい。
【００４２】
また、上述した実施形態では、液晶表示部１３０がハウジング１２０に予め配設されている場合について説明したが、これに限らない。プリンタ１００が備える外部インターフェース等を介して、液晶表示部１３０を必要なときに接続する場合であってもよい。
【００４３】
上記実施形態では、流体噴射装置として、インクジェットプリンタ（記録装置）に具体化したが、この限りではなく、インク以外の他の流体（機能材料の粒子が分散されている液状体、ジェルのような流状体）を噴射したり吐出したりする流体噴射装置に具体化することもできる。
例えば、液晶ディスプレイ、ＥＬ（エレクトロルミネッセンス）ディスプレイ及び面発光ディスプレイの製造などに用いられる電極材や色材などの材料を分散または溶解のかたちで含む液状体を噴射する液状体噴射装置、バイオチップ製造に用いられる生体有機物を噴射する流体噴射装置、精密ピペットとして用いられ試料となる液体を噴射する流体噴射装置であってもよい。
さらに、時計やカメラ等の精密機械にピンポイントで潤滑油を噴射する流体噴射装置、光通信素子等に用いられる微小半球レンズ（光学レンズ）などを形成するために紫外線硬化樹脂等の透明樹脂液を基板上に噴射する流体噴射装置、基板などをエッチングするために酸又はアルカリ等のエッチング液を噴射する流体噴射装置、ジェルを噴射する流状体噴射装置であってもよい。更に、トナー等の粉体を例とする固体を噴射するトナージェット式記録装置であってもよい。
そして、これらのうちいずれか一種の流体噴射装置において、本発明を適用することができる。
【図面の簡単な説明】
【００４４】
【図１】本発明の実施形態に係るインクジェットプリンタの外観を示す斜視図である。
【図２】インクジェットプリンタの内部構造の概略を示す斜視図である。
【図３】インクジェットプリンタの内部構造の概略を示す正面図である。
【図４】インクジェットプリンタの内部構造の概略を示す側断面図である。
【図５】インクジェット記録ヘッドの斜視図である。
【符号の説明】
【００４５】
２４…インクジェット記録ヘッド（流体噴射ヘッド）
９０…ＣＣＤカメラ（撮像部）
１００…インクジェットプリンタ（流体噴射装置）
１２０…ハウジング（本体筐体）
１３０…液晶表示部（表示部、案内表示部）
１５０…制御部（流体噴射処理部）
２１０ａ…ノズル面
２１１…ノズル
ＡＲ１…第一領域（流噴射領域）
ＡＲ２…第二領域（メンテナンス領域）
ＡＲ３…第三領域
Ｐ…印刷用紙（被流体噴射材）
【図１】
2008230190.tif 000003
【図２】
2008230190.tif 000004
【図３】
2008230190.tif 000005
【図４】
2008230190.tif 000006
【図５】
2008230190.tif 000007